(57)【要約】【課題】本考案は、男性器の形状に合わせたサック型の尿漏れ時の尿吸収用具であることをもっとも主要な特徴とする。【解決手段】男性器の形状に合わせた筒型袋のスタイルを特徴とする尿漏れ吸収サック。【選択図】図１
0003129511.tif 000002
【実用新案登録請求の範囲】
【請求項１】
男性器陰茎の形状に合わせた筒型袋のスタイルを特徴とする尿漏れ吸収サック。
【請求項２】
前記サックの用途は、寝たきり及び要介護者などに属する男性ではなく、サイズを幾つか用意することで幼児から働き盛りの成・壮年までもを広く網羅できることを特徴とする尿漏れ吸収サック。
【請求項３】
前記サックの用途は、働き盛りの成・壮年に見られる前立腺機能低下等からくる頻尿感や残尿感から起こる軽度の尿漏れに対応することを特徴とする尿漏れ吸収サック。
【請求項４】
前記サックの装着安定を図るために、粘着テープで下着類に接着させることを特徴とする尿漏れ吸収サック。
【考案の詳細な説明】
【考案の詳細な説明】
【技術分野】
【０００１】  本考案は、男性の軽度の尿漏れに対応した尿漏れ吸収用具に関するものである。
【背景技術】
【０００２】  高齢化社会への変化に伴って、近年、乳・幼児向け使い捨ておむつと同様に要介護者や寝たきり老人などを対象とした大人用使い捨ておむつ類の商品化は高分子吸収ポリマーの開発などと相まって普及著しいところである。【０００３】  また、女性の社会進出とその活躍が相関の関係にあるが、女性用尿漏れ吸収パッドを含む生理衛生用品類の商品開発も活発なところである。【０００４】  しかし、男性、とりわけ働き盛りの成・壮年層にみられる尿漏れ問題には未だ光が当たっていない。その原因については様々であるがその分析については別に譲るとして、現象として起こっているストレスや前立腺機能の低下等からくる頻尿や残尿による尿漏れの事実は、当事者にとって身体的精神的ダメージを伴う極めて不快な大問題であるにもかかわらず、社会的認知ならびに商品化については未だ一般化されたものとなっていない現状がある。
【考案が解決しようとする課題】
【０００５】  この男性の尿漏れ対策として、女性用衛生用具同様、尿漏れによる身体的不快感と臭気等不潔感を防止すると同時に、男性の精神的落ち込みを軽減する男性用の尿漏れ時の尿吸収用具を考案提供したい。
【課題を解決するための手段】
【０００６】  本考案は、男性器の形状に合わせたサック型の尿漏れ時の尿吸収用具であることをもっとも主要な特徴とする。
【考案実施の形態】
【０００７】  本考案が対象としているのは、寝たきり乃至要介護者等ではなく社会の第一線で活躍している働き盛りの成・壮年層を対象としているため、１０００ｃｃ前後の尿や糞便を保持するようなおむつ形状や性能は必要としない。排尿後の自律管理できない数滴の尿漏れ（所謂「切れの悪さ」）に対応できればいいので、その目的を満足させるに十分な１０ｃｃ程度の保水能力を有する性状機能が実現される材質と薄さを求める。
【０００８】  同時に、男性器の形状に合わせた尿漏れ吸収サックではあるが、避妊具のような男性器陰茎の全部を包含する密着性を求める必要はない。
【０００９】  尿漏れ吸収サックの中に排尿後の男性器陰茎が確実に収容されれば目的を達成できるので、尿漏れ吸収サックの形状は、陰茎の排尿口（亀頭）部分を確実に収容できる長さの筒型袋を有していればいいのであって陰茎の根本まで収容する長さを求める必要はない。
【００１０】  男性器陰茎を収容する尿漏れ吸収サックから陰茎が抜けたり、尿漏れ吸収サックが下着等から脱落して衣服外に落ちないために、尿漏れ吸収サックの一部分に下着等との接着機能として粘着テープを設ける。
【００１１】  また、幼児から成・壮・老年まで男性器陰茎の大きさは人それぞれに千差万別であるので、大・中・小など幾つかの寸法サイズを用意供給することで対応できる。
【考案の効果】
【００１２】  以上説明したように本考案の尿漏れ吸収サックは、幼児から成・壮年の尿漏れにまで広く対応できる。
特に、働き盛りの成・壮年に起こる尿漏れは男女を問わず老化の現れ方の一つであって病気そのものではない。故に、男性も尿漏れ時の吸収用具の必要性について多くが「有ったらよい」と希求しているものの世間体などを忖度し憚っている。しかし、この尿漏れ吸収サックは尿漏れの現実に遭遇している男性への福音となると同時にその家族にも歓迎されるものとなるだろう。
【図面の簡単な説明】
【図１】  男性器陰茎を尿漏れ吸収サックに収容した説明図（イメージ図）である。
【材質等の説明】
１  尿漏れ吸収サックの表面材質部分（ポリエチレンフィルム素材で出来た防水シートとする）
２  尿漏れ吸収サックの吸収部分（保水能力は１０ｃｃもあれば十分であるので、高分子吸収材は必要最小限量だけ表面材質と内面材質の間に散布なり貼り付ける）
３  尿漏れ吸収サックの内面材質部分（ポリオレフィン・ポリエステル不織布とコットンを混紡し陰茎が接する面をメッシュシート状に加工することで肌に優しく、吸水性、吸汗性に優れたサラッと感を実現できる）
４  尿漏れ吸収サックの脱落防止接着部分（女性用生理用品に用いられている程度の粘度能力を有する両面テープを付ける）
【図１】
0003129511.tif 000003
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
男性器陰茎の形状に合わせた筒型袋からなることを特徴とする尿漏れ吸収サック。
【請求項２】
前記筒型袋の表面材質にポリエチレンフィルム素材等で出来た防水シート仕様である請求項１記載の尿漏れ吸収サック。
【請求項３】
前記筒型袋の表面材質と内面材質の間に高分子吸収ポリマー材を使用した請求項１又は請求項２記載の尿漏れ吸収サック。
【請求項４】
前記筒型袋の内面材質部分がポリオレフィン・ポリエステル不織布とコットンの混紡素材を使用した請求項１、請求項２及び請求項３記載の尿漏れ吸収サック。
【請求項５】
前記筒型袋の脱落防止等装着安定を図るために、請求項２の表面素材の一部に両面粘着テープを具備することで下着類と接着させる請求項１、請求項２、請求項３及び請求項４記載の尿漏れ吸収サック。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、男性の軽度の尿漏れに対応した尿漏れ吸収用具に関するものである。
【背景技術】
【０００２】  高齢化社会への変化に伴って、近年、乳・幼児向け使い捨ておむつと同様に要介護者や寝たきり老人などを対象とした大人用使い捨ておむつ類の商品化は高分子吸収ポリマーの開発などと相まって普及著しいところである。【０００３】  また、女性の社会進出とその活躍が相関の関係にあるが、女性用尿漏れ吸収パッドを含む生理衛生用品類の商品開発も活発なところである。
【考案の開示】
【考案が解決しようとする課題】
【０００４】  しかし、男性、とりわけ働き盛りの成・壮年層にみられる尿漏れ問題には未だ光が当たっていない。その原因については様々であるがその分析については別に譲るとして、現象として起こっているストレスや前立腺機能の低下等からくる頻尿や残尿による尿漏れの事実は、当事者にとって身体的精神的ダメージを伴う極めて不快な大問題であるにもかかわらず、社会的認知ならびに商品化については未だ一般化されたものとなっていない現状がある。
【課題を解決するための手段】
【０００５】  この男性の尿漏れ対策として、女性用衛生用具同様、尿漏れによる身体的不快感と臭気等不潔感を防止すること。同時に、男性の精神的な落ち込みを軽減することを目的とした男性用の尿漏れ時の尿吸収用具を考案提供したい。【０００６】  本考案は、男性器陰茎の形状に合わせた筒型袋の尿漏れ時の尿吸収用具であることをもっとも主要な特徴とする。【０００７】  本考案が対象としているのは、寝たきり乃至要介護者等ではなく社会の第一線で活躍している働き盛りの成・壮年層を対象としているため、１０００ｃｃ前後の尿や糞便を保持するようなおむつ形状や性能は必要としない。排尿後の自律管理できない数滴の尿漏れ（所謂「切れの悪さ等」）に対応できればいいので、その目的を満足させるに十分な１０ｃｃ程度の保水能力を有する性状機能が実現される材質と薄さを求める。【０００８】  それ故に、筒型袋の材質等の形状は以下の４点から構成される。
１  尿漏れ吸収サックの表面材質部分（ポリエチレンフィルム素材で出た防水シートとする）
２  尿漏れ吸収サックの吸収部分（保水能力は１０ｃｃもあれば十分であるので、高分子吸収材は必要最小限量だけ表面材質と内面材質の間に散布なり貼り付ける）
３  尿漏れ吸収サックの内面材質部分（ポリオレフィン・ポリエステル不織布とコットンを混紡し陰茎が接する面をメッシュシート状に加工することで肌に優しく、吸水性、吸汗性に優れたサラッと感を実現できる）
４  尿漏れ吸収サックの脱落防止接着部分（女性用生理用品に用いられている程度の粘度能力を有する両面テープを付ける）
【考案を実施するための最良の形態】
【０００９】  同時に、男性器陰茎の形状に合わせた筒型袋ではあるが、避妊具のような男性器陰茎の全部を包含する密着性を求める必要はない。【００１０】  尿漏れ吸収サックの中に排尿後の男性器陰茎が確実に収容されれば目的を達成できるので、尿漏れ吸収サックの形状は、陰茎の排尿口（亀頭）部分を確実に収容できる長さの筒型袋を有していればいいのであって陰茎の根本まで収容する長さを求める必要はない。【００１１】  男性器陰茎の形状に合わせた筒型袋の吸収サックから陰茎が抜けたり、尿漏れ吸収サックが下着等から脱落して衣服外に落ちないために、尿漏れ吸収サックの一部分に下着等との接着機能として粘着テープを設ける。【００１２】  また、幼児から成・壮・老年まで男性器陰茎の大きさは人それぞれに千差万別であるので、大・中・小など幾つかの寸法サイズを用意供給することで対応できる。
【考案の効果】
【００１３】  以上説明したように本考案の尿漏れ吸収サックは、幼児から成・壮年の尿漏れにまで広く対応できる。
特に、働き盛りの成・壮年に起こる尿漏れ現象は男女を問わず老化の現れ方の一つであって病気そのものではない。故に、男性も尿漏れ時の吸収用具の必要性について多くが「有ったらよい」と希求しているものの世間体などを忖度し憚っている。しかし、この男性器陰茎の形状に合わせた筒型袋の吸収サックは尿漏れの現実に遭遇している男性への福音となると同時にその家族にも歓迎されるものとなるだろう。
【図面の簡単な説明】
【００１４】
【図１】  男性器陰茎を筒型袋の尿漏れ吸収サックに収容した説明図（イメージ図）である。
【符号の説明】
【００１５】１  筒型袋の尿漏れ吸収サック
２  両面粘着テープ
３  男性器陰茎
【手続補正３】
【補正対象書類名】図面
【補正対象項目名】全図
【補正方法】変更
【補正の内容】
【図１】
0003129511.tif 000004
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
男性器陰茎の形状に合わせた筒型袋からなることを特徴とする尿漏れ吸収サック。
【請求項２】
前記筒型袋の表面材質にポリエチレンフィルム素材等で出来た防水シート仕様である請求項１記載の尿漏れ吸収サック。
【請求項３】
前記筒型袋の表面材質と内面材質の間に高分子吸収ポリマー材を使用した請求項１又は請求項２記載の尿漏れ吸収サック。
【請求項４】
前記筒型袋の内面材質部分がポリオレフィン・ポリエステル不織布とコットンの混紡素材を使用した請求項１〜３のいずれか１項に記載の尿漏れ吸収サック。
【請求項５】
前記筒型袋の脱落防止等装着安定を図るために、請求項２の表面素材の一部に両面粘着テープを具備することで下着類と接着させる請求項１〜４のいずれか１項に記載の尿漏れ吸収サック。